(57)【特許請求の範囲】
【請求項１】
男性陰部の少なくとも陰茎部を包み込むようにして用いられる男性用尿吸収物品であって、
少なくとも一部が透液性を有する内側シート材と、
不透液性を有し、前記内側シート材の外面側に配置される外側シート材と、
親水性繊維が集合された繊維集合体を有し、前記内側シート材と前記外側シート材との間に配置される吸収コアと、
を備え、
前記吸収コアの前記繊維集合体は、男性陰部に装着される際に当該男性用尿吸収物品が折曲げられる折曲部に沿って設けられ、前記親水性繊維が存在しない、又は前記親水性繊維の量が他の部分よりも減少された折曲補助部を備え、
前記折曲補助部は、前記繊維集合体の縦方向に間隔をあけた２カ所において、横方向に対して互いに反対方向に傾斜する斜め方向に沿って、前記繊維集合体の少なくとも一部を横断するように設けられた２つの斜め折曲補助部と、前記２つの斜め折曲補助部の間隔が狭い側の横方向の片側縁部の一部を縦方向に縦断するように設けられた縦折曲補助部とを備えることを特徴とする男性用尿吸収物品。
【請求項２】
請求項１に記載の男性用尿吸収物品において、
当該男性用尿吸収物品は、横方向に沿った横幅よりも縦方向に沿った縦幅の方が大きいことを特徴とする男性用尿吸収物品。
【請求項３】
請求項１又は請求項２に記載の男性用尿吸収物品において、
前記内側シート材及び前記外側シート材の少なくともいずれか一方において前記折曲部に沿って色付けされた複数の折曲ラインをさらに備えることを特徴とする男性用尿吸収物品。
【請求項４】
請求項３に記載の男性用尿吸収物品において、
前記内側シート材及び前記外側シート材の少なくともいずれか一方において前記各折曲ライン毎に印刷され、対応する前記折曲ラインの折曲げの順番を示す順番記号表示をさらに備えることを特徴とする男性用尿吸収物品。
【請求項５】
請求項３又は請求項４に記載の男性用尿吸収物品において、
前記内側シート材及び前記外側シート材の少なくともいずれか一方において前記各折曲ライン毎に印刷され、対応する前記折曲ラインが山折りか谷折りかを示す折り方向記号表示をさらに備えることを特徴とする男性用尿吸収物品。
【発明の詳細な説明】
【技術分野】
【０００１】
本発明は、男性用尿吸収物品に関する。
【背景技術】
【０００２】
男性用尿吸収物品として、複数箇所で折曲げて男性陰部を包み込むようにして装着して用いられるものがある。しかし、この種の従来の男性用尿吸収物品は、装着時に折曲げ難いとともに、折曲位置も決まり難い。そのため、男性用尿吸収物品の折曲げ作業等を何度もやり直すことになる場合もある。
【０００３】
なお、パンツ型使い捨ておむつにおいて、吸収コアの繊維集合体に折曲げを補助するための溝（２０ｔ等 ）を設けたものがある（引用文献１、段落［００１４］、図４等参照）。
【先行技術文献】
【特許文献】
【０００４】
【特許文献１】特開２００３−２６５５１１号公報
【発明の概要】
【発明が解決しようとする課題】
【０００５】
そこで、本発明の解決すべき課題は、装着時の折曲げを適切な折曲位置で容易に行うことができ、折曲げ作業等のやり直しも不要になる男性用尿吸収物品を提供することである。
【課題を解決するための手段】
【０００６】
上記の課題を解決するため、本発明では、男性陰部の少なくとも陰茎部を包み込むようにして用いられる男性用尿吸収物品であって、少なくとも一部が透液性を有する内側シート材と、不透液性を有し、前記内側シート材の外面側に配置される外側シート材と、親水性繊維が集合された繊維集合体を有し、前記内側シート材と前記外側シート材との間に配置される吸収コアとを備え、前記吸収コアの前記繊維集合体は、男性陰部に装着される際に当該男性用尿吸収物品が折曲げられる折曲部に沿って設けられ、前記親水性繊維が存在しない、又は前記親水性繊維の量が他の部分よりも減少された折曲補助部を備える。
【０００７】
男性用尿吸収物品は、横方向に沿った横幅よりも縦方向に沿った縦幅の方が大きく、前記折曲補助部は、前記繊維集合体の前記縦方向に間隔をあけた２カ所において、前記横方向に対して互いに反対方向に傾斜する斜め方向に沿って、前記繊維集合体の少なくとも一部を横断するように設けられた２つの斜め折曲補助部を備えることが好ましい。
【０００８】
男性用尿吸収物品は、前記内側シート材及び前記外側シート材の少なくともいずれか一方において前記折曲部に沿って色付けされた複数の折曲ラインをさらに備えることが好ましい。
【０００９】
男性用尿吸収物品は、前記内側シート材及び前記外側シート材の少なくともいずれか一方において前記各折曲ライン毎に印刷され、対応する前記折曲ラインの折曲げの順番を示す順番記号表示をさらに備えることが好ましい。
【００１０】
男性用尿吸収物品は、前記内側シート材及び前記外側シート材の少なくともいずれか一方において前記各折曲ライン毎に印刷され、対応する前記折曲ラインが山折りか谷折りかを示す折り方向記号表示をさらに備えることが好ましい。
【発明の効果】
【００１１】
本発明に係る男性用尿吸収物品によれば、吸収コアの繊維集合体に該男性用尿吸収物品の折曲部に沿って折曲補助部が設けられており、その折曲補助部では親水性繊維が存在しないか、又は親水性繊維の量が他の部分よりも減少されている。それ故、男性用尿吸収物品を折曲げて男性陰部に装着する際に、折曲位置を予め設定された折曲部に容易に決定できるとともに、折曲部にて男性用尿吸収物品を容易に折曲げて陰茎部等を包み込むのに適当な形状に容易に成型できる。それ故、男性用尿吸収物品の折曲げ作業のやり直しも不要になり、スムーズに装着作業が行える。
【００１２】
また、繊維集合体に設けられた折曲補助部では、親水性繊維が存在しないか、又は親水性繊維の量が他の部分よりも減少されているため、折曲部にて男性用尿吸収物品をコンパクトにしっかりと折曲げることができる。それ故、装着された際の男性用尿吸収物品の型くずれ、及び装着位置のずれ等を防止できる。
【００１３】
本発明に係る男性用尿吸収物品は、横方向に沿った横幅よりも縦方向に沿った縦幅の方が大きくなっており、折曲補助部は、繊維集合体の縦方向に間隔をあけた２カ所において、横方向に対して互いに反対方向に傾斜する斜め方向に沿って、繊維集合体の少なくとも一部を横断するように設けられた２つの斜め折曲補助部を備えていることが好ましい。装着の際は、男性用尿吸収物品の２つの斜め折曲補助部の縦方向の外方側に位置する両側の部分を、斜め折曲補助部に沿って陰茎部等を包み込むように互いに重なり合う方向に折曲げることにより、男性用尿吸収物品の折曲形状が得られる。このとき、陰茎部等は、折曲げられた男性用尿吸収物品の横方向の両側のうち、２つの斜め折曲補助部間の間隔が広がっている側から折曲げられた男性用尿吸収物品内に受け入れられる。この男性用尿吸収物品の折曲形状は、男性陰部の陰茎部等を受け入れる受入側が大きく広がっているため、陰茎部等の受け入れが容易である。これとともに、受入側と反対側に向かって２つの斜め折曲補助部間の間隔が狭くなるため、排泄された尿が男性用尿吸収物品の外部に漏れ難くなっている。
【００１４】
内側シート材及び外側シート材の少なくともいずれか一方に、折曲部に沿って色付けされた複数の折曲ラインが設けられていれば、その折曲ラインにより男性用尿吸収物品を折曲げる際に、作業者が折曲位置を容易に認識でき、男性用尿吸収物品の折曲げが容易になる。
【００１５】
各折曲ラインに対応して印刷された順番記号表示により、作業者が各折曲ラインの折曲げの順番を容易に認識できる。
【００１６】
各折曲ラインに対応して印刷された折り方向記号表示により、作業者が各折曲ラインの折り方向（山折りか谷折りか）を容易に認識できる。
【図面の簡単な説明】
【００１７】
【図１】本発明の一実施形態に係る折り男性用尿吸収物品（以下、単に「吸収物品」）という）の外面側から見た折り曲げる前の状態を示す平面図である。
【図２】図１の吸収物品のＡ−Ａ線に沿った断面の構成を模式的に示す図である。
【図３】図１の吸収物品の肌面側から見たときの折り曲げ手順を示す図である。
【図４】図１の吸収物品の折り曲げられた状態を示す図である。
【発明を実施するための形態】
【００１８】
図１ないし図４を参照して、本発明の一実施形態に係る吸収物品１について説明する。吸収物品１は、図１及び図２に示すように、内側シート材２、外側シート材３及び吸収コア４を備え、男性陰部の少なくとも陰茎部を包み込むようにして用いられる。吸収物品１の使用形態としては、吸収物品１を男性陰部の陰茎部等に装着し、さらにその外面側を覆うように使い捨ておむつ等が装着される場合が多い。
【００１９】
吸収物品１の厚み方向から見た全体的な平面形状は、図１に示すように横方向Ｘに沿った横幅よりも縦方向Ｙに沿った縦幅の方が大きい略長方形となっている。内側シート材２は、少なくとも一部が透液性を有するシート材である。本実施形態では、内側シート材２が親水性不織布等により形成され、内側シート材２の全面が透液性を有している。外側シート材３は、不透液性を有し、内側シート材２の外面側に配置される。具体的には、例えば、通気性と不透液性とを有する多孔質樹脂フィルムの外面側に不織布シートを貼り合わせることにより外側シート材３が形成される。
【００２０】
吸収コア４は、親水性繊維が集合されてなる繊維集合体５を有し、内側シート材２と外側シート材３との間に配置される。繊維集合体５は、粉状又は粒状の吸収ポリマーが添加されていてもよい。吸収物品１が後述するように折り曲げられて着用者の陰茎部等に装着された状態で排尿が行われると、尿が内側シート材２を透過して吸収コア４の繊維集合体５に吸収されて保持される。吸収コア４の外面側には不透液性の外側シート材３が配置されているため、吸収コア４から染み出した尿が吸収物品１の外部に漏れるのが防止される。
【００２１】
繊維集合体５には、複数の折曲補助部７ａ〜７ｃが設けられている。この折曲補助部７ａ〜７ｃは、男性陰部に装着される際に吸収物品１が折曲げられる対応する複数の折曲部６ａ〜６ｃに沿って設けられている。この折曲補助部７ａ〜７ｃでは、図２に示すように、親水性繊維が存在しないか、あるいは親水性繊維の量が他の部分よりも減少されている。本実施形態では、折曲補助部７ａ〜７ｃが親水性繊維の存在しない分割溝によって構成されている。これによって、厚みがあり吸収物品１の折曲げの障害になりやすい繊維集合体５の折曲げが容易になり、吸収物品１の折曲げも容易になる。
【００２２】
本実施形態では、吸収物品１の折曲部６ａ〜６ｃは３カ所に設けられている。第１の折曲部６ａは、繊維集合体５の横方向Ｘの片側縁部（図１では右側縁部）の一部を縦方向Ｙに縦断するように設定されている。第２の折曲部６ｂは、繊維集合体５の縦方向Ｙの中央よりも一方側（図１では上側）を横方向Ｘに対して傾斜した斜め方向に横断するように設定されている。第３の折曲部６ｃは、繊維集合体５の縦方向Ｙの中央よりも他方側（図１では下側）を横方向Ｘに対して第２の折曲部６ｂと反対方向に傾斜した斜め方向に横断するように設定されている。第２及び第３の折曲部６ｂ，６ｃの横方向Ｘに対する傾斜方向は、第１の折曲部６ａが設けられた側（図１では右側）からその反対側（図１では左側）に向かって、折曲部６ｂ，６ｃ間の縦方向Ｙに沿った間隔が徐々に拡大する方向に設定されている。なお、第２及び第３の折曲部６ｂ，６ｃに沿って設けられる折曲補助部７ｂ，７ｃが本発明の斜め折曲補助部に相当している。
【００２３】
また本実施形態では、外側シート材３には、図１に示すように、折曲部６ａ〜６ｃに沿って色付けされた複数の折曲ライン８ａ〜８ｃが印刷等により設けられている。また、外側シート材３には、各折曲ライン８ａ〜８ｃ毎に印刷され、対応する折曲ライン８ａ〜８ｃの折曲げの順番を示す順番記号表示（図１の例では１〜３の番号表示）９ａ〜９ｃが設けられている。さらに、外側シート材３には、各折曲ライン８ａ〜８ｃ毎に印刷され、対応する折曲ライン８ａ〜８ｃが山折りか谷折りかを示す折り方向記号表示（図１の例では「山折」）が設けられている。これらの折曲ライン８ａ〜８ｃ、順番記号表示９ａ〜９ｃ及び折り方向記号表示１０ａ〜１０ｃは、外側シート材３の代わりに内側シート材２に設けてもよいし、外側シート材３及び内側シート材２の両方に設けてもよい。
【００２４】
吸収物品１の装着の際は、図３に示すように、まず吸収物品１の部分Ｐ１が、折曲部６ａ（折曲ライン８ａ）に沿って外面側から見て山折りになるように折り曲げられる。続いて、吸収物品１の部分Ｐ２が、折曲部６ｂ（折曲ライン８ｂ）に沿って外面側から見て山折りになるように折り曲げられる。さらに、図４に示すように、吸収物品１の部分Ｐ３が、折曲部６ｃ（折曲ライン８ｃ）に沿って外面側から見て山折りになるように折り曲げられる。そして、男性陰部の陰茎部等が、折曲げられた吸収物品１の内側に矢印Ｂで示すように挿入される。このとき、陰茎部等は折り曲げられた吸収物品１によって包み込まれた状態となる。なお、陰茎部等を折曲げる前の吸収物品１の肌面側の中央に配置した状態で、陰茎部等を包み込むようして吸収物品１を折り曲げていってもよい。
【００２５】
以上のように、本実施形態に係る吸収物品１によれば、吸収コア４の繊維集合体５に吸収物品１の折曲部６ａ〜６ｃに沿って折曲補助部７ａ〜７ｃが設けられており、その折曲補助部７ａ〜７ｃでは親水性繊維が存在しないか、又は親水性繊維の量が他の部分よりも減少されている。それ故、吸収物品１を折曲げて男性陰部に装着する際に、折曲位置を予め設定された折曲部６ａ〜６ｃに容易に決定できるとともに、折曲部６ａ〜６ｃにて吸収物品１を容易に折曲げて陰茎部等を包み込むのに適当な形状に容易に成型できる。それ故、吸収物品１の折曲げ作業のやり直しも不要になり、スムーズに装着作業が行える。
【００２６】
また、繊維集合体５に設けられた折曲補助部７ａ〜７ｃでは、親水性繊維が存在しないか、又は親水性繊維の量が他の部分よりも減少されているため、折曲部６ａ〜６ｃにて吸収物品１をコンパクトにしっかりと折曲げることができる。それ故、装着された際の吸収物品１の型くずれ、及び装着位置のずれ等を防止できる。
【００２７】
また、吸収物品１は、横方向Ｘに沿った横幅よりも縦方向Ｙに沿った縦幅の方が大きい長方形の外形を有しており、繊維集合体５の縦方向Ｙに間隔をあけた２カ所において、横方向Ｘに対して互いに反対方向に傾斜する斜め方向に沿って、繊維集合体５を横断するように設けられた２つの折曲補助部７ｂ，７ｃを備えている。装着の際は、吸収物品１の２つの折曲補助部７ｂ，７ｃの縦方向Ｙの外方側に位置する両側の部分Ｐ２，Ｐ３が、折曲補助部７ｂ，７ｃに沿って陰茎部等を包み込むように互いに重なり合う方向に折曲げられる。このとき、陰茎部等は、折曲げられた吸収物品１の横方向Ｘの両側のうち、折曲補助部７ｂ，７ｃ間の間隔が広がっている側から折曲げられた吸収物品１内に受け入れられる。この吸収物品１の折曲形状は、陰茎部等を受け入れる受入側が大きく広がっているため、陰茎部等の受け入れが容易である。これとともに、受入側と反対側に向かって２つの折曲補助部７ｂ，７ｃ間の間隔が狭くなるため、排泄された尿が吸収物品１の外部に漏れ難くなっている。
【００２８】
また、吸収物品１では、折曲部６ａに沿って繊維集合体５に折曲補助部７ａが設けられ、図４に示す折曲状態において陰茎部等の受入側と反対側の部分Ｐ１が開口部を塞ぐように内側に折り込まれている。このため、排泄された尿が受入側と反対側から吸収物品１の外部に漏れるのが防止される。
【００２９】
また、吸収物品１の折曲げの際、各折曲部６ａ〜６ｃに対して設けられた折曲ライン８ａ〜８ｃ、順番記号表示９ａ〜９ｃ及び折り方向記号表示１０ａ〜１０ｃを参照することにより、作業者が折曲位置、折曲げの順番、及び各折曲部６ａ〜６ｃの折り方向（山折りか谷折りか）を容易に認識でき、吸収物品１の折曲げが容易になる。
【００３０】
なお、上述の実施形態に係る吸収物品１の変形例として、折曲部６ａを省略して、折曲部６ａでの折曲げを行わないようにしてもよい。この場合、折曲部６ａに対応する繊維集合体５の折曲補助部７ａ、折曲ライン８ａ、順番記号表示９ａ及び折り方向記号表示１０ａも省略される。
【００３１】
また、折曲ライン８ａ〜８ｃ、順番記号表示９ａ〜９ｃ及び折り方向記号表示１０ａ〜１０ｃについては、必ずしも必須の構成ではなく、省略してもよい。
【符号の説明】
【００３２】
１  吸収物品、２  内側シート材、３  外側シート材、４  吸収コア、５  繊維集合体、６ａ〜６ｃ  折曲部、７ａ〜７ｃ  折曲補助部、８ａ〜８ｃ  折曲ライン、９ａ〜９ｃ  順番記号表示、１０ａ〜１０ｃ  折り方向記号表示、Ｘ  横方向、Ｙ  縦方向。
【図１】
0005616704.tif 000002
【図２】
0005616704.tif 000003
【図３】
0005616704.tif 000004
【図４】
0005616704.tif 000005